【手続補正書】
【提出日】平成15年8月26日(2003.8.26)
【手続補正１】
【補正対象書類名】明細書
【補正対象項目名】特許請求の範囲
【補正方法】変更
【補正の内容】
【特許請求の範囲】
【請求項１】
情報記憶媒体又は情報通信網から所定の情報を取り出す装置であって、情報を提示する情報提示手段と、提示された情報が必要か不要かを入力する入力手段と、前記入力手段からの入力と、前記情報に付けられたひとつまたは複数のキーワード信号からなるキーワード群信号を変換したベクトル信号とから計算された肯定メトリック信号と否定メトリック信号とからスコア信号を計算するスコア計算手段とを有し、前記スコア信号を利用して情報の提示の順序を決めることを特徴とする情報フィルタ装置。
【請求項２】
肯定メトリック信号は、入力手段から入力される信号が必要な場合のベクトル信号の自己相関行列であり、否定メトリック信号は、入力手段から入力される信号が不要である場合のベクトル信号の自己相関行列であることを特徴とする請求項１記載の情報フィルタ装置。
【請求項３】
情報記憶媒体又は情報通信網から所定の情報を取り出す方法であって、情報を提示する情報提示ステップと、提示された情報が必要か不要かを入力する入力ステップと、前記入力ステップからの入力と、前記情報に付けられたひとつまたは複数のキーワード信号からなるキーワード群信号を変換したベクトル信号とから計算された肯定メトリック信号と否定メトリック信号とからスコア信号を計算するスコア計算ステップとを有し、前記スコア信号を利用して情報の提示の順序を決めることを特徴とする情報フィルタ方法。
【請求項４】
肯定メトリック信号は、前記入力ステップから入力される信号が必要な場合のベクトル信号の自己相関行列であり、否定メトリック信号は、前記入力ステップから入力される信号が不要である場合のベクトル信号の自己相関行列であることを特徴とする請求項３記載の情報フィルタ方法。
【請求項５】
情報記憶媒体又は情報通信網上にある情報について、使用者にとっての必要性を推定する装置であって、前記情報は情報データと一つ以上のキーワード（文字列）を含むものであり、前記情報データを提示する情報提示手段と、前記提示された情報データが必要か不要かを入力する入力手段と、前記入力手段からの入力を用いて前記提示された情報データにつけられたキーワードへのユーザーの必要性を予測する値の割り振りを行う学習手段と、前記予測値を用いて情報の必要性の評価値を求める必要性評価手段とを有すること特徴とする情報必要性推定装置。
【請求項６】
情報記憶媒体又は情報通信網上にある情報について、使用者にとっての必要性を推定する方法であって、前記情報は情報データと一つ以上のキーワード（文字列）を含むものであり、前記情報データを提示する情報提示ステップと、前記提示された情
報データが必要か不要かを入力する入力ステップと、前記入力ステップからの入力を用いて前記提示された情報データにつけられたキーワードへのユーザーの必要性を予測する値の割り振りを行う学習ステップと、前記予測値を用いて情報の必要性の評価値を求める必要性評価ステップとを有すること特徴とする情報必要性推定方法。
【請求項７】
情報を提示する情報提示手段と、前記提示された情報が必要か不要かを入力する入力手段と、どんな情報を必要としたかという履歴に関する記録を記憶する記憶手段と、前記情報と前記入力とを用いて前記記憶手段からの履歴に忘却効果を入れて学習した履歴に書き換える学習手段とを有する情報フィルタ装置。
【請求項８】
前記記憶手段は、どんな情報を必要または不要としたかという履歴に関する記録を記憶する請求項７記載の情報フィルタ装置。
【請求項９】
情報を提示する情報提示ステップと、前記提示された情報が必要か不要かを入力する入力ステップと、どんな情報を必要としたかという履歴に関する記録を記録装置に記憶するステップと、前記情報と前記入力とを用いて前記記憶装置からの履歴に忘却効果を入れて学習した履歴に書き換えるステップとを有する情報フィルタ方法。
【請求項１０】
履歴に関する記録を記録装置に記憶するステップは、どんな情報を必要または不要としたかという履歴を記憶する請求項９記載の情報フィルタ方法。
【請求項１１】
情報を提示する情報提示手段と、前記提示された情報が必要か不要かを入力する入力手段と、どんな情報を必要としたかという履歴に関する記録を記憶する記憶手段と、前記情報と前記入力とを用いて前記履歴について学習した履歴を書き換える学習手段とを有する情報フィルタ装置であって、前記学習手段は履歴に関する値がオーバーフローすることを防止することを特徴とする情報フィルタ装置。
【請求項１２】
情報が入力されると前記情報の必要性を必要性信号として計算する必要性信号計算手段と、前記情報と前記必要性信号とを未読データ記憶手段に書き込む書き込み制御手段とを有する情報フィルタユニットと、前記情報と前記必要性信号を記憶する未読データ記憶手段とを有することを特徴とするデータ記憶装置。
【請求項１３】
書き込み制御手段は、情報が所定値以上となった場合に必要性信号の小さい情報を破棄して必要性信号の大きい情報を書き込むこと特徴とする請求項１２記載のデータ蓄積装置。
【手続補正２】
【補正対象書類名】明細書
【補正対象項目名】００１４
【補正方法】変更
【補正の内容】
【００１４】
本発明の請求項６に記載の発明は、情報記憶媒体又は情報通信網上にある情報について、使用者にとっての必要性を推定する方法であって、前記情報は情報データと一つ以上のキーワード（文字列）を含むものであり、前記情報データを提示する情報提示ステップと、前記提示された情報データが必要か不要かを入力する入力ステップと、前記入力ステップからの入力を用いて前記提示された情報データにつけられたキーワードへのユーザーの必要性を予測する値の割り振りを行う学習ステップと、前記予測値を用いて情報の必要性の評価値を求める必要性評価ステップとを有すること特徴とする情報必要性推定方法であり、情報をユーザーに必要な評価値が精度高く求めることが出来るという作用を持つ。
本発明の請求項７に記載した発明は、情報を提示する情報提示手段と、前記提示された情報が必要か不要かを入力する入力手段と、どんな情報を必要としたかという履歴に関する記録を記憶する記憶手段と、前記情報と前記入力とを用いて前記記憶手段からの履歴に忘却効果を入れて学習した履歴に書き換える学習手段とを有する情報フィルタ装置であり、忘却効果を入れて学習することにより過去の履歴の影響を少なくして、情報をユーザーに必要な順に精度高く並べ変えるという作用を持つ。
本発明の請求項８に記載の発明は、請求項７記載の情報フィルタ装置において、前記記憶手段は、どんな情報を必要または不要としたかという履歴に関する記録を記憶するもの
で、忘却効果を入れて学習することにより過去の履歴の影響を少なくすると共に、どんな情報を必要または不要としたかという両方の履歴により、情報をユーザーに必要な順に精度高く並べ変えるという作用を持つ。
本発明の請求項９に記載の発明は、情報を提示する情報提示ステップと、前記提示された情報が必要か不要かを入力する入力ステップと、どんな情報を必要としたかという履歴に関する記録を記録装置に記憶するステップと、前記情報と前記入力とを用いて前記記憶装置からの履歴に忘却効果を入れて学習した履歴に書き換えるステップとを有する情報フィルタ方法であり、忘却効果を入れて学習することにより過去の履歴の影響を少なくして、情報をユーザーに必要な順に精度高く並べ変えるという作用を持つ。
本発明の請求項１０に記載した発明は、請求項９記載の情報フィルタ方法において、履歴に関する記録を記録装置に記憶するステップは、どんな情報を必要または不要としたかという履歴を記憶するようにしたもので、忘却効果を入れて学習することにより過去の履歴の影響を少なくすると共に、どんな情報を必要または不要としたかという両方の履歴により、情報をユーザーに必要な順に精度高く並べ変えるという作用を持つ。
本発明の請求項１１に記載の発明は、情報を提示する情報提示手段と、前記提示された情報が必要か不要かを入力する入力手段と、どんな情報を必要としたかという履歴に関する記録を記憶する記憶手段と、前記情報と前記入力とを用いて前記履歴について学習した履歴を書き換える学習手段とを有する情報フィルタ装置であって、前記学習手段は履歴に関する値がオーバーフローすることを防止することを特徴とする情報フィルタ装置であり、履歴を学習する際にオーバーフローを防止することにより、情報をユーザーに必要な順に精度高く並べ変えるという作用を持つ。
本発明の請求項１２に記載の発明は、情報が入力されると前記情報の必要性を必要性信号として計算する必要性信号計算手段と、前記情報と前記必要性信号とを未読データ記憶手段に書き込む書き込み制御手段とを有する情報フィルタユニットと、前記情報と前記必要性信号を記憶する未読データ記憶手段とを有することを特徴とするデータ記憶装置であり、情報に必要性信号を付加することで、必要性の高い情報を容易に取り出すことができるという作用を持つ。
本発明の請求項１３に記載の発明は、請求項１２のデータ蓄積装置において、書き込み制御手段は、情報が所定値以上となった場合に必要性信号の小さい情報を破棄して必要性信号の大きい情報を書き込むこと特徴とするもので、必要性信号の大きい情報が記憶され、必要性の高い情報を容易に取り出すことができるという作用を持つ。
【手続補正３】
【補正対象書類名】明細書
【補正対象項目名】００４３
【補正方法】変更
【補正の内容】
【００４３】
であり、ベクトル生成部１はキーワード数信号nofKsとnofKs個のキーワード信号からなるキーワード群信号Ks＝（Ｋ［１］，・・・，Ｋ［nofKs］）とを受けキーワード群信号Ksと前記符号辞書信号DCKを用いてベクトル信号Vに変換する。３はスコア計算部で、ユーザーに提示された「情報」を必要／不要と評価した結果から計算された肯定メトリック信号ＭＹ、否定メトリック信号ＭＮを用いて、ベクトル生成部１で変換された２つのベクトル信号Ｖの長さ、肯定信号ＳＹと否定信号ＳＮに変換する。５は（nofDCK×nofDCK）行列である前記肯定メトリック信号ＭＹを記憶する肯定メトリック記憶部、６は（nofDCK×nofDCK）行列である前記否定メトリック信号ＭＮを記憶する否定メトリック記憶部である。８は判定パラメータ信号Ｃを記憶する判定パラメータ記憶部、７は前記肯定信号ＳＹと前記否定信号ＳＮを受け前記判別パラメータ記憶部８から判定パラメータ信号Ｃを読み出し必要性信号Ｎと信頼性信号Ｒを計算する必要性計算部である。９は「情報」の本文である情報データＤとキーワード数信号nofKsとキーワード群信号Ｋｓと必要性信号Ｎと信頼性信号Ｒとを所定の手続きに従って後述する未読データ記憶部１０に書き込む未読データ書き込み制御部、１０は前記「情報」の本文である情報データＤと前記キーワード数信号nofKsと前記キーワード群信号Ｋｓと前記必要性信号Ｎと前記信頼性信号Ｒとからなる最大nofURD個の未読データ


【手続補正４】
【補正対象書類名】明細書
【補正対象項目名】００４９
【補正方法】変更
【補正の内容】
【００４９】
図１において、１１は制御信号ＤＯを受け未読データ記憶部１０から未読データ信号ＵＲＤ［１］を読み出し、表示信号ＤＤを出力し、その表示信号ＤＤがユーザーにとって必要か不要かを示す教師信号Ｔをユーザーから受け、前記教師信号Ｔと前記未読データ信号ＵＲＤ［１］のキーワード数信号nofKs［１］とキーワ ード群信号Ｋｓ［１］とを所定の手続きに従って教師データ記憶部１３に書き込む未読データ出力制御部である。


【手続補正５】
【補正対象書類名】明細書
【補正対象項目名】０１２５
【補正方法】変更
【補正の内容】
【０１２５】
ところで、使用者の不要な情報データＤが出現する確率
ＮＮ／（ＮＹ＋ＮＮ）
と比較して、文字列Ｗ［ｊ］が付いている情報データＤが使用者にとって不要である場合の確率
ＰＮ［ｊ］／（ＰＹ［ｊ］＋ＰＮ［ｊ］）
が大きく異なる場合に、大きくなるようなものであれば、文字列Ｗ［ｊ］は、情報データＤが使用者にとって不要と判定する上で有効である。同様に、使用者の必要な情報データＤが出現する確率
ＮＹ／（ＮＹ＋ＮＮ）
と比較して、文字列Ｗ［ｊ］が付いている情報データＤが使用者にとって必要である場合の確率
ＰＹ［ｊ］／（ＰＹ［ｊ］＋ＰＮ［ｊ］）
が大きく異なる場合に、大きくなるようなものであれば、文字列Ｗ［ｊ］は、情報データＤが使用者にとって必要と判定する上で有効である。


【手続補正６】
【補正対象書類名】明細書
【補正対象項目名】０１４１
【補正方法】変更
【補正の内容】
【０１４１】
こうして計算される肯定メトリック信号ＭＹ、否定メトリック信号ＭＮは、キーワードコスト信号ＫＤと同様、計算される肯定信号ＳＹと否定信号ＳＮが、使用者の不要な情報データＤが出現する確率
ＮＮ／（ＮＹ＋ＮＮ）
と比較して、文字列Ｗ［ｊ］が付いている情報データＤが使用者にとって不要である場合の確率
ＰＮ［ｊ］／（ＰＹ［ｊ］＋ＰＮ［ｊ］）
が大きく異なる場合に、大きくなるようなものであり、使用者の必要な情報データＤが出現する確率
ＮＹ／（ＮＹ＋ＮＮ）
と比較して、文字列Ｗ［ｊ］が付いている情報データＤが使用者にとって必要である場合の確率
ＰＹ［ｊ］／（ＰＹ［ｊ］＋ＰＮ［ｊ］）
が大きく異なる場合に、大きくなるようなものであるといった性質を持っていれば、なんでもよい。これを満たす好ましいのは、肯定メトリック信号ＭＹを


【手続補正７】
【補正対象書類名】明細書
【補正対象項目名】０１４６
【補正方法】変更
【補正の内容】
【０１４６】
そして、更新された１次肯定メトリック信号ＭＹ１を１次肯定メトリック信号記憶部２６に、更新された１次否定メトリック信号ＭＮ１を１次否定メトリック信号記憶部２７に、新たに計算された肯定メトリック信号ＭＹを肯定メトリック記憶部５へ、新たに計算された否定メトリック信号ＭＮを否定メトリック記憶部６へ書き込む。以上で、ＫＤメトリック学習部２８は、メトリック学習の処理を終了し、メトリック学習制御信号ＭＬＣを学習制御部１４に送る。